(57)【要約】【課題】水道管の開口端部の形状が雌螺子タイプであっても、雄螺子タイプであっても、共用することができ、また管継手としても使用することのできる管継手兼用仮止水栓を提供する。【解決手段】先端部が閉止され、水道管の開口端部に形成された雌螺子に螺合される雄螺子部２と、この雄螺子部２の基端側に連設されその雄螺子部２より大径の中空プラグ部３とを備え、この中空プラグ部３の基端部内面に、水道管の開口端部に形成された雄螺子に螺合される雌螺子部５が形成されるとともに、中空プラグ部３の基端部外面に六角形状部４が形成されている。【選択図】図１
2010001938.tif 000002
【特許請求の範囲】
【請求項１】
水道管の開口端部に螺合装着される管継手兼用仮止水栓であって、
先端部が閉止され、水道管の開口端部に形成された雌螺子に螺合される雄螺子部と、前記雄螺子部の基端側に連設されその雄螺子部より大径の中空プラグ部とを備え、この中空プラグ部の基端部内面に、水道管の開口端部に形成された雄螺子に螺合される雌螺子部が形成されていることを特徴とする管継手兼用仮止水栓。
【請求項２】
前記中空プラグ部の外面が六角形状に形成されている請求項１に記載の管継手兼用仮止水栓。
【請求項３】
前記雄螺子部の閉止された先端部隔壁に、前記中空プラグ部内空間に連通する貫通孔を形成して、管継手として用いられる請求項１または２に記載の管継手兼用仮止水栓。
【発明の詳細な説明】
【技術分野】
【０００１】
本発明は、水道管の修理、交換工事または新設工事に際して、管路内の流体の流れを一時的に止めるための仮止水栓に関し、必要に応じて管継手として使用することのできる管継手兼用仮止水栓に関するものである。
【背景技術】
【０００２】
一般に、建築物の新築工事においては、予め水道管を壁や床の内部に配管するとともに、その水道管の先端部を、台所や風呂場等の蛇口設置位置に向けて配置し、壁等の内装工事がほぼ終了した後に、水道管の開口端部に蛇口等の水道器具を装着するようにされている。ところが、何らかの事情で水道管が破損していた場合に、その破損状態のままで内装工事を完了させると、破損個所が特定できなかったり、あるいは特定できても補修が困難であるという問題点がある。
【０００３】
このため、通常、水道管の配管後、内装工事の完了前に、配管に通水して水圧をかけて漏水の有無を確認する通水試験が行われる。この通水試験では、水道管の開口端部に蛇口等の水道器具を装着する訳にはいかないため、その開口端部に仮止水栓を装着して配管からの漏水を防ぐようにされている。
【０００４】
一方、既存建築物においても、老朽化等によって水道管が破損した場合等に、破損した水道管に仮止水栓を取り付け、新たに配管がなされるまでその仮止水栓によって止水を行うようにされている。
【０００５】
従来、上述のような仮止水栓として、水道管の開口端部に形成された雌螺子に螺合される雄螺子部を先端に有するとともに、この雄螺子部の基端側にプラグ部を有し、このプラグ部の基端外周部が六角形状に形成されてなる構成のものが知られている。この仮止水栓は、基端部の六角形状部にレンチ等の工具を係合させ、先端の雄螺子部を水道管の雌螺子に螺合させて締め付けることで、水道管の開口端部に取り付けられて止水される。
【０００６】
また、水道管の開口端部が雌螺子ではなく、雄螺子の場合には、その雄螺子に螺合される雌螺子部が内周面に形成されたキャップ（ソケット）を被せて、螺合し締め付けることにより止水される。
【０００７】
しかしながら、上記従来の仮止水栓形状では、水道管の開口端部の形状（雌螺子タイプおよび雄螺子タイプ）に合わせて、プラグ式およびソケット式の２種類の仮止水栓を用意し、それらを使い分ける必要があるために、製造コストがかかるだけでなく、在庫管理面でも煩雑になるという問題点がある。
【発明の開示】
【発明が解決しようとする課題】
【０００８】
本発明は、前述のような問題点に鑑みてなされたもので、水道管の開口端部の形状が雌螺子タイプであっても、雄螺子タイプであっても、共用することができ、しかも必要に応じて管継手としても使用することのできる管継手兼用仮止水栓を提供することを目的とするものである。
【課題を解決するための手段】
【０００９】
前記目的を達成するために、本発明による管継手兼用仮止水栓は、
水道管の開口端部に螺合装着される管継手兼用仮止水栓であって、
先端部が閉止され、水道管の開口端部に形成された雌螺子に螺合される雄螺子部と、前記雄螺子部の基端側に連設されその雄螺子部より大径の中空プラグ部とを備え、この中空プラグ部の基端部内面に、水道管の開口端部に形成された雄螺子に螺合される雌螺子部が形成されていることを特徴とするものである。
【００１０】
本発明において、前記中空プラグ部の外面が六角形状に形成されているのが好ましい。
【００１１】
また、本発明においては、前記雄螺子部の閉止された先端部隔壁に、前記中空プラグ部内空間に連通する貫通孔を形成して、管継手として用いることができる。
【発明の効果】
【００１２】
本発明によれば、水道管の開口端部が雌螺子の場合には、管継手兼用仮止水栓の雄螺子部をその開口端部に螺合させて締め付けることでその開口端部に管継手兼用仮止水栓を取り付けることができ、また、水道管の開口端部が雄螺子の場合には、管継手兼用仮止水栓の雌螺子部をその開口端部に螺合させて締め付けることでその開口端部に管継手兼用仮止水栓を取り付けることができる。こうして、水道管の開口端部の形状に拘わらず、管継手兼用仮止水栓を共用することができ、従来のように２種類のものを用意する必要がなくなり、在庫管理が楽になるとともに、製造コスト低減を図ることができる。
【００１３】
本発明において、中空プラグ部の外面を六角形状に形成すれば、仮止水栓を締め付ける際にその六角形状の部分をレンチ等の工具で容易に締め付けることができ、より利便性が向上する。
【００１４】
また、本発明によれば、前記雄螺子部の先端部隔壁に、前記中空プラグ部内空間に連通する貫通孔を形成することで、管継手として用いることができ、その利用価値は極めて高いと言える。
【発明を実施するための最良の形態】
【００１５】
次に、本発明による管継手兼用仮止水栓の具体的な実施の形態について、図面を参照しつつ説明する。
【００１６】
図１には、本発明の一実施形態に係る管継手兼用仮止水栓の斜視図が示され、図２には、同管継手兼用仮止水栓の正面図（ａ）および断面図（ｂ）がそれぞれ示されている。
【００１７】
本実施形態の管継手兼用仮止水栓１は、硬質の合成樹脂にて成形され、先端部が閉止されるとともに、基端部が開放された形状であって、水道管の開口端部に螺合装着して使用される。この管継手兼用仮止水栓１は、先端部に、水道管の開口端部に形成された雌螺子に螺合される雄螺子部２が設けられ、この雄螺子部２の基端側にその雄螺子部２より大径の中空プラグ部３が連設されて構成されている。
【００１８】
中空プラグ部３は全体として円筒状で、基端部外面に六角形状部４を有し、この六角形状部４にレンチ、スパナ等の工具を係合させて回動できるようにされている。また、この中空プラグ部３の基端部内面には、水道管の開口端部に形成された雄螺子に螺合される雌螺子部５が形成されている。ここで、六角形状部４の各辺とその辺に対向する辺との間の距離は、中空プラグ部３の円筒状部の外径と等しくなるようにされている。
【００１９】
このように構成される管継手兼用仮止水栓１は、水道管の新設工事もしくは補修工事に際して、次のようにして使用される。
【００２０】
まず、図３に示されるように、水道管６の開口端部６ａが雌螺子７を有する形状の場合には、管継手兼用仮止水栓１の先端側の雄螺子部２をその開口端部６ａの雌螺子７に螺合させ、基端側の六角形状部４をレンチ等の工具で締め付けることでその開口端部６ａに管継手兼用仮止水栓１を装着する。こうして、開口端部６ａを密封して水道水によって水圧がかかっても閉止された雄螺子部２の端面によって確実に止水することができる。
【００２１】
一方、図４に示されるように、水道管８の開口端部８ａが雄螺子９を有する形状の場合には、管継手兼用仮止水栓１の雌螺子部５をその開口端部８ａに螺合させ、六角形状部４をレンチ等の工具で締め付けることでその開口端部８ａに仮止水栓１を装着する。こうして、開口端部８ａを密封して水道水によって水圧がかかっても閉止された雄螺子部２の端面によって確実に止水することができる。
【００２２】
このように、本実施形態の管継手兼用仮止水栓１によれば、水道管の開口端部６ａ，８ａの形状に拘わらず、１個の管継手兼用仮止水栓１を共通に用いることができる。したがって、従来のように水道管の開口端部の形状に合わせて、プラグ式およびソケット式の２種類の仮止水栓を用意し、それらを使い分ける必要がなくなり、在庫管理が楽になるとともに、製造コスト低減を図ることができる。
【００２３】
図５には、本発明の他の実施形態に係る管継手兼用仮止水栓の正面図（ａ）および断面図（ｂ）がそれぞれ示されている。
【００２４】
この実施形態では、六角形状部４を中空プラグ部３の中央部外面に形成したものである。このようにしても、前記実施形態と同様の作用効果を奏することができる。なお、この六角形状部４は省略することもできる。
【００２５】
図６には、本発明の更に他の実施形態に係る管継手兼用仮止水栓の断面図が示されている。
【００２６】
この実施形態は、雄螺子部２の先端部隔壁に、中空プラグ部３内空間に連通する貫通孔１０を形成して、管継手兼用仮止水栓を管継手として用いた例を示すものである。このように本実施形態の管継手兼用仮止水栓によれば、専用の管継手（ソケット）が手元にない場合などに、管継手として利用することができるので、その利用価値が極めて高い。なお、このような利用形態を考慮した場合、雄螺子部２の長さを長めに形成するのが好ましい。
【００２７】
この実施形態においては、図６（ａ）に示されるように、中空プラグ部３の雌螺子部５を先端部近くまで形成しておき、図６（ｂ）に示されるように、壁Ｗの壁面に合わせて中空プラグ部３を切断線Ｌの位置で切断するとともに、蛇口１１の雄螺子部を中空プラグ部３の雌螺子部５に螺合することで、蛇口１１を壁面に沿って設置することができる。
【００２８】
前記各実施形態では、管継手兼用仮止水栓１を合成樹脂製のものとして説明したが、その材質は金属製であっても良い。
【図面の簡単な説明】
【００２９】
【図１】本発明の一実施形態に係る仮止水栓の斜視図
【図２】本実施形態の仮止水栓の正面図（ａ）および断面図（ｂ）
【図３】本実施形態の仮止水栓の一使用状態説明図
【図４】本実施形態の仮止水栓の他の使用状態説明図
【図５】本発明の他の実施形態に係る仮止水栓の正面図（ａ）および断面図（ｂ）
【図６】本発明の更に他の実施形態に係る管継手兼用仮止水栓の断面図
【符号の説明】
【００３０】
１            仮止水栓
２            雄螺子部
３            中空プラグ部
４            六角形状部
５            雌螺子部
６，８        水道管
６ａ，８ａ    開口端部
７            雌螺子
９            雄螺子
１０            貫通孔
１１            蛇口
【図１】
2010001938.tif 000003
【図２】
2010001938.tif 000004
【図３】
2010001938.tif 000005
【図４】
2010001938.tif 000006
【図５】
2010001938.tif 000007
【図６】
2010001938.tif 000008